【手続補正書】
【提出日】平成30年10月11日(2018.10.11)
【手続補正１】
【補正対象書類名】明細書
【補正対象項目名】発明の名称
【補正方法】変更
【補正の内容】
【発明の名称】情報処理装置、情報処理システム、制御方法、及びプログラム
【手続補正２】
【補正対象書類名】明細書
【補正対象項目名】００１１
【補正方法】変更
【補正の内容】
【００１１】
そこで、本発明は上記課題を鑑み、撮影した紙媒体に対応する画像データを容易に得ることが可能な情報処理装置、情報処理システム、制御方法、及びプログラムを提供することを目的とする。
【手続補正３】
【補正対象書類名】明細書
【補正対象項目名】００１３
【補正方法】変更
【補正の内容】
【００１３】
本発明は、紙媒体のスキャンにより得られた画像データを得る情報処理装置であって、紙媒体を撮影して得られた画像データを受信する第一の受信手段と、前記第一の受信手段で受信した画像データに対応する、画像処理装置で前記紙媒体をスキャンさせるための設定にかかるスキャンチケットを生成する生成手段と、前記生成手段によって生成したスキャンチケットを用いて前記画像処理装置で前記紙媒体をスキャンして得られた画像データを受信する第二の受信手段と、を備えたことを特徴とする。
【手続補正４】
【補正対象書類名】明細書
【補正対象項目名】００１４
【補正方法】変更
【補正の内容】
【００１４】
本発明によれば、撮影した紙媒体に対応する画像データを容易に得ることができる、という効果を奏する。
【手続補正５】
【補正対象書類名】特許請求の範囲
【補正対象項目名】全文
【補正方法】変更
【補正の内容】
【特許請求の範囲】
【請求項１】
紙媒体のスキャンにより得られた画像データを得る情報処理装置であって、
紙媒体を撮影して得られた画像データを受信する第一の受信手段と、
前記第一の受信手段で受信する画像データに対応する、画像処理装置で前記紙媒体のスキャン処理をさせるためのスキャンチケットを生成する生成手段と、
前記生成手段によって生成したスキャンチケットを用いて前記画像処理装置で前記紙媒体をスキャンして得られた画像データを受信する第二の受信手段と、
を備えたことを特徴とする情報処理装置。
【請求項２】
前記生成手段は、所定の条件によって、前記第一の受信手段によって受信する画像データに対応する前記スキャンチケットを生成することを特徴とする請求項１に記載の情報処理装置。
【請求項３】
前記所定の条件は、前記第一の受信手段によって受信する画像データの文字認識処理の結果に係る条件であることを特徴とする請求項２に記載の情報処理装置。
【請求項４】
前記第一の受信手段で受信した画像データを認識してデータを取得する取得手段と、
前記取得手段によって、第一の受信手段により受信した画像データから取得されたデータを登録するかの選択を受け付ける選択受付手段と、
を備え、
前記生成手段は、前記選択受付手段によって登録を行うことの選択を受け付けると、前記生成手段によってスキャンチケットを生成することなく、前記第一の受信手段により受信した画像データから取得されるデータを登録する登録手段と、
を備えたことと特徴とする請求項１乃至３の何れか１項に記載の情報処理装置。
【請求項５】
前記登録手段は、前記選択受付手段によって登録を行わないことの選択を受け付けると、前記生成手段によって生成されるスキャンチケットを用いてスキャンして得られた画像データから取得されるデータを登録することを特徴とする請求項４に記載の情報処理装置。
【請求項６】
撮影機能を備えた装置、紙媒体をスキャンすることで画像データを取得する画像処理装置、前記紙媒体のスキャンにより得られた画像データを得る情報処理装置がネットワークを介して接続された情報処理システムであって、
前記撮影機能を備えた装置は、
前記紙媒体を撮影して得られた画像データを前記情報処理装置へ送信する画像データ送信手段と、
を備え、
前記情報処理装置は、
前記画像データ送信手段によって送信された画像データを受信する画像受信手段と、
前記画像受信手段で受信した画像データに対応する、画像処理装置で前記紙媒体のスキャン処理をさせるためのスキャンチケットを生成する生成手段と、
前記生成手段により生成したスキャンチケットを前記画像処理装置へ送信するスキャンチケット送信手段と、
前記画像処理装置のスキャン画像送信手段によって送信された画像データを受信するスキャン画像受信手段と、
を備え、
前記画像処理装置は、
前記スキャンチケット送信手段によって送信されたスキャンチケットを受信するスキャンチケット受信手段と、
前記スキャンチケット受信手段によって受信したスキャンチケットを用いて前記紙媒体をスキャンして得られた画像データを前記情報処理装置へ送信するスキャン画像送信手段と、
を備えることを特徴とする情報処理システム。
【請求項７】
紙媒体のスキャンにより得られた画像データを得る情報処理装置の制御方法であって、
前記情報処理装置は、
紙媒体を撮影して得られた画像データを受信する第一の受信ステップと、
前記第一の受信ステップで受信した画像データに対応する、画像処理装置で前記紙媒体のスキャン処理をさせるためのスキャンチケットを生成する生成ステップと、
前記生成ステップによって生成したスキャンチケットを用いて前記画像処理装置で前記紙媒体をスキャンして得られた画像データを受信する第二の受信ステップと、
を実行することを特徴とする情報処理装置の制御方法。
【請求項８】
紙媒体のスキャンにより得られた画像データを得る情報処理装置で読み取り実行可能なプログラムであって、
前記情報処理装置を、
紙媒体を撮影して得られた画像データを受信する第一の受信手段と、
前記第一の受信手段で受信した画像データに対応する、画像処理装置で前記紙媒体のスキャン処理をさせるためのスキャンチケットを生成する生成手段と、
前記生成手段によって生成したスキャンチケットを用いて前記画像処理装置で前記紙媒体をスキャンして得られた画像データを受信する第二の受信手段と、
して機能させるためのプログラム。
【請求項９】
撮影機能を備えた装置、紙媒体をスキャンすることで画像データを取得する画像処理装置、前記紙媒体のスキャンにより得られた画像データを得る情報処理装置がネットワークを介して接続された情報処理システムにおいて
前記撮影機能を備えた装置は、
前記紙媒体を撮影して得られた画像データを前記情報処理装置へ送信する画像データ送信ステップ、
を実行し、
前記情報処理装置は、
前記画像データ送信ステップによって送信された画像データを受信する画像受信ステップと、
前記画像受信ステップで受信した画像データに対応する、画像処理装置で前記紙媒体のスキャン処理をさせるためのスキャンチケットを生成する生成ステップと、
前記生成ステップにより生成したスキャンチケットを前記画像処理装置へ送信するスキャンチケット送信ステップと、
前記画像処理装置のスキャン画像送信ステップによって送信された画像データを受信するスキャン画像受信ステップと、
を実行し、
前記画像処理装置は、
前記スキャンチケット送信ステップによって送信されたスキャンチケットを受信するスキャンチケット受信ステップと、
前記スキャンチケット受信ステップによって受信したスキャンチケットを用いて前記紙媒体をスキャンして得られた画像データを前記情報処理装置へ送信するスキャン画像送信ステップと、
を実行することを特徴とする情報処理システムにおける制御方法。
【請求項１０】
撮影機能を備えた装置、紙媒体をスキャンすることで画像データを取得する画像処理装置、前記紙媒体のスキャンにより得られた画像データを得る情報処理装置がネットワークを介して接続された情報処理システムにおいて、
前記撮影機能を備えた装置を、
前記紙媒体を撮影して得られた画像データを前記情報処理装置へ送信する画像データ送信手段と、
して機能させ
前記情報処理装置を、
前記画像データ送信手段によって送信された画像データを受信する画像受信手段と、
前記画像受信手段で受信した画像データに対応する、画像処理装置で前記紙媒体のスキャン処理をさせるためのスキャンチケットを生成する生成手段と、
前記生成手段により生成したスキャンチケットを前記画像処理装置へ送信するスキャンチケット送信手段と、
前記画像処理装置のスキャン画像送信手段によって送信された画像データを受信するスキャン画像受信手段と、
して機能させ、
前記画像処理装置を、
前記スキャンチケット送信手段によって送信されたスキャンチケットを受信するスキャンチケット受信手段と、
前記スキャンチケット受信手段によって受信したスキャンチケットを用いて前記紙媒体をスキャンして得られた画像データを前記情報処理装置へ送信するスキャン画像送信手段と、
して機能させるためのプログラム。